(57)【要約】【課題】第１基板において光硬化性のシール材と重なる領域で複数の配線が並列して延在している場合でも、第１基板側から照射した光をシール材に効率よく届けることのできる液晶装置および表示装置を提供すること。【解決手段】液晶装置１００では、第１基板１０においてシール材８０と重なる領域に複数の配線部分１１が並列して延在しているが、第１基板１０には、第１基板１０の他方面１０ｔ側から配線部分１１に向かおうとする光を複数の配線部分１１において隣り合う配線部分１１の間に向けて偏向する偏向部９０が形成されている。このため、第１基板１０の他方面１０ｔ側から照射した光によってシール材８０を硬化させる際、配線部分１１に向かおうとする光は、偏向部９０によって配線部分１１の間に向けて進行し、シール材８０に届く。【選択図】図３
2015075682.tif 000002
【特許請求の範囲】
【請求項１】
透光性の第１基板と、
前記第１基板の一方面側に対向配置された第２基板と、
前記第１基板と前記第２基板との間に設けられた光硬化性のシール材と、
前記第１基板と前記第２基板の間に設けられた液晶層と、
前記第１基板の前記一方面側の前記シール材と重なる領域で当該シール材に沿って延在する複数の配線と、
前記第１基板において前記複数の配線に対して前記液晶層とは反対側で前記シール材に沿って延在し、前記第１基板の他方面側から前記配線に向かおうとする光を前記複数の配線において隣り合う配線の間に向けて偏向する偏向部と、
を有することを特徴とする液晶装置。
【請求項２】
前記複数の配線には、定電位が印加された第１定電位線と、該第１定電位線と隣り合う位置で延在し、当該第１定電位線と同一の定電位が供給された第２定電位線と、が含まれ、
前記第１定電位線および前記第２定電位線には、前記液晶層側あるいは前記液晶層とは反対側で絶縁膜を介して重なる第３定電位線が設けられ、
前記第１定電位線と前記第３定電位線との間、および前記第２定電位線と前記第３定電位線との間に容量が形成されていることを特徴とする請求項１に記載の液晶装置。
【請求項３】
前記偏向部は、前記一方面に垂直な方向からみたときに前期配線と重なる傾斜面をもって前記シール材に沿って延在する溝状凹部と、該溝状凹部内に充填された充填材と、を備え、
前記傾斜面は、前記光を前記隣り合う配線の間に向けて反射させる反射性偏向面を構成していることを特徴とする請求項１または２に記載の液晶装置。
【請求項４】
前記偏向部は、前記一方面に垂直な方向からみたときに前記隣り合う配線の間と重なる領域で前記シール材に沿って延在する溝状凹部と、該溝状凹部内に充填された透光性の充填材と、を備え、
前記溝状凹部は、湾曲面を備え、
当該湾曲面は、前記光を前記隣り合う配線の間に向けて屈折させる透過性偏向面を構成していることを特徴とする請求項１または２に記載の液晶装置。
【請求項５】
前記溝状凹部は、前記一方面側に設けられていることを特徴とする請求項１乃至４の何れか一項に記載の液晶装置。
【請求項６】
前記溝状凹部は、前記他方面側に設けられていることを特徴とする請求項１乃至４の何れか一項に記載の液晶装置。
【請求項７】
請求項１乃至６の何れか一項に記載の液晶装置を備えた投射型表示装置であって、
前記液晶装置に供給される光を出射する光源部と、
前記液晶装置によって変調された光を投射する投射光学系と、
を有していることを特徴とする表示装置。
【発明の詳細な説明】
【技術分野】
【０００１】
本発明は、光硬化性のシール材によって第１基板と第２基板とが貼り合わされた液晶装置、および当該液晶装置を備えた投射型表示装置に関するものである。
【背景技術】
【０００２】
液晶装置では、第１基板と第２基板とが光硬化性のシール材により貼り合わされ、第１基板と第２基板との間では、シール材で囲まれた領域内に液晶層が設けられている。かかる構成の液晶装置を製造する際には、第１基板または第２基板に光硬化性のシール材を塗布した後、第１基板または第２基板の側からシール材に光を照射してシール材を硬化させる。その際、シール材への光の照射が十分でないと、シール材を十分に硬化させることができない。
【０００３】
そこで、シール材を光硬化させるための光源装置にレンズを設け、光をシール材に集中して照射する技術が提案されている（特許文献１参照）。また、光が照射される第２基板側に遮光層が形成されている場合、第１基板の第２基板の遮光層と隣り合う領域に反射層を形成しておき、第２基板の側から照射された光を反射層によって、遮光層の陰になっているシール材に向けて反射する構成が提案されている（特許文献２参照）。
【先行技術文献】
【特許文献】
【０００４】
【特許文献１】特開平１０−１２３５３８号公報
【特許文献２】特開２００１−２２２０１７号公報
【発明の概要】
【発明が解決しようとする課題】
【０００５】
しかしながら、第１基板および第２基板のうち、シール材を光硬化させるための光が照射される側の基板において、シール材と重なる領域に、複数の配線が並列して延在している場合、光が配線によって遮られるため、特許文献１に記載のレンズでは、シール材に光を十分に照射することは困難である。また、第１基板では、第１基板の端部とシール材とに挟まれた領域が狭いため、特許文献２に記載の反射層を配線と隣り合う領域に設けることはスペース的に困難である。
【０００６】
以上の問題点に鑑みて、本発明の課題は、第１基板においてシール材と重なる領域で複数の配線が並列して延在している場合でも、第１基板側から照射した光をシール材に効率よく届けることのできる液晶装置および投射型表示装置を提供することにある。
【課題を解決するための手段】
【０００７】
上記課題を解決するために、本発明に係る液晶装置は、透光性の第１基板と、前記第１基板の一方面側に対向配置された第２基板と、前記第１基板と前記第２基板との間に設けられた光硬化性のシール材と、前記第１基板と前記第２基板の間に設けられた液晶層と、前記第１基板の前記一方面側の前記シール材と重なる領域で当該シール材に沿って延在する複数の配線と、前記第１基板において前記複数の配線に対して前記液晶層とは反対側で前記シール材に沿って延在し、前記第１基板の他方面側から前記配線に向かおうとする光を前記複数の配線において隣り合う配線の間に向けて偏向する偏向部と、を有することを特徴とする。
【０００８】
本発明では、第１基板においてシール材と重なる領域に複数の配線が形成されているが、第１基板には、第１基板の他方面側から配線に向かおうとする光を複数の配線において隣り合う配線の間に向けて偏向する偏向部が形成されている。このため、第１基板の他方面側から照射した光によってシール材を硬化させる際、配線に向かおうとする光は、偏向部によって配線の間に向けて進行し、シール材に届く。従って、シール材に十分な光が照射されるので、シール材を確実に硬化させることができる。
【０００９】
本発明において、前記複数の配線には、定電位が印加された第１定電位線と、該第１定電位線と隣り合う位置で延在し、当該第１定電位線と同一の定電位が供給された第２定電位線と、が含まれ、前記第１定電位線および前記第２定電位線には、前記液晶層側あるいは前記液晶層とは反対側で絶縁膜を介して重なる第３定電位線が設けられ、前記第１定電位線と前記第３定電位線との間、および前記第２定電位線と前記第３定電位線との間に容量が形成されている構成を採用することができる。かかる構成の場合、配線が密に形成された構成となるが、このような構成でも、本発明によれば、シール材に十分な光が照射されるので、シール材を確実に硬化させることができる。
【００１０】
本発明において、前記偏向部は、前記一方面に垂直な方向からみたときに前期配線と重なる傾斜面をもって前記シール材に沿って延在する溝状凹部と、該溝状凹部内に充填された充填材と、を備え、前記溝状凹部は、前記一方面に垂直な方向から斜めに傾いた傾斜面を備え、当該傾斜面は、前記光を前記隣り合う配線の間に向けて反射させる反射性偏向面を構成していることが好ましい。
【００１１】
本発明において、前記偏向部は、前記一方面に垂直な方向からみたときに前記隣り合う配線の間と重なる領域で前記シール材に沿って延在する溝状凹部と、該溝状凹部内に充填された充填材と、を備え、前記溝状凹部は、湾曲面を備え、当該湾曲面は、前記光を前記隣り合う配線の間に向けて屈折させる透過性偏向面を構成している構成を採用してもよい。
【００１２】
本発明において、前記溝状凹部は、前記一方面側に設けられている構成を採用することができる。
【００１３】
本発明において、前記溝状凹部は、前記他方面側に設けられている構成を採用してもよい。
【００１４】
本発明に係る液晶装置は、携帯電話機やモバイルコンピューター、投射型表示装置等の電子機器に用いることができる。これらの電子機器のうち、投射型表示装置は、前記液晶装置に供給される光を出射する光源部と、前記液晶装置によって変調された光を投射する投射光学系と、を有している。
【図面の簡単な説明】
【００１５】
【図１】本発明を適用した液晶装置の電気的構成を示す説明図である。
【図２】本発明を適用した液晶装置に用いた液晶パネルの説明図である。
【図３】本発明の実施の形態１に係る液晶装置における端部を拡大して模式的に示す説明図である。
【図４】本発明の実施の形態２に係る液晶装置における端部の構成を拡大して模式的に示す説明図である。
【図５】本発明の実施の形態３に係る液晶装置における端部を拡大して模式的に示す説明図である。
【図６】本発明の実施の形態４に係る液晶装置における端部の構成を拡大して模式的に示す説明図である。
【図７】本発明を適用した投射型表示装置（電子機器）および光学ユニットの概略構成図である。
【発明を実施するための形態】
【００１６】
以下、本発明の実施の形態を説明する。なお、以下の説明で参照する図においては、各層や各部材を図面上で認識可能な程度の大きさとするため、各層や各部材毎に縮尺を異ならしめてある。また、以下の説明で参照する図においては、走査線、データ線、信号線等の配線等については、それらの数を少なく表してある。
【００１７】
［実施の形態１］
（液晶装置の全体構成）
図１は、本発明を適用した液晶装置１００の電気的構成を示す説明図であり、図１（ａ）、（ｂ）は、本発明を適用した液晶装置１００全体の電気的構成を示すブロック図、および画素１００ａの構成を示す等価回路図である。なお、図１において、シール材８０が形成されている領域について右上がりの斜線を付してある。
【００１８】
図１に示す液晶装置１００において、液晶パネル１００ｐは、その中央領域に複数の画素１００ａがマトリクス状に配列された表示領域１０ａを備えている。液晶パネル１００ｐにおいて、後述する第１基板１０では、表示領域１０ａの内側で複数本のデータ線６ａおよび複数本の走査線３ａが交差する方向に延在しており、データ線６ａと走査線３ａとの交点に対応する位置に画素１００ａが構成されている。複数の画素１００ａの各々には、スイッチング素子としての画素スイッチング素子３０、および画素電極９ａが形成されている。画素スイッチング素子３０のソースにはデータ線６ａが電気的に接続され、画素スイッチング素子３０のゲートには走査線３ａが電気的に接続され、画素スイッチング素子３０のドレインには、画素電極９ａが電気的に接続されている。
【００１９】
第１基板１０において、表示領域１０ａより外側の非表示領域１０ｕには、走査線駆動回路６０、データ線駆動回路７０、検査回路やプリチャージ回路等の周辺回路４０等が構成されている。データ線駆動回路７０は複数本のデータ線６ａの一端に電気的に接続しており、周辺回路４０は、複数本のデータ線６ａの他端に電気的に接続している。走査線駆動回路６０は、複数本の走査線３ａに電気的に接続している。走査線駆動回路６０は、シフトレジスタおよび出力回路を備えており、シフトレジスタに入力されたクロック信号、クロック反転信号、およびスタートパルスに基づいて走査信号を生成し、複数本の走査線３ａの各々に順次供給する。
【００２０】
データ線駆動回路７０は、シフトレジスタ７１およびサンプルホールド回路７４を備えており、サンプルホールド回路７４は、複数本のビデオ信号線７５、第１ラッチ回路７２および第２ラッチ回路７３を備えている。データ線駆動回路７０は、シフトレジスタ７１に入力されたクロック信号、クロック反転信号、およびスタートパルスに基づいて、ビデオ信号線７５から供給されるビデオ信号を所定のタイミングで第１ラッチ回路７２に保持した後、第２ラッチ回路７３に転送し、ラッチ転送信号に基づいて、複数本のデータ線６ａの各々に画像信号を出力する。
【００２１】
各画素１００ａにおいて、画素電極９ａは、後述する第２基板に形成された共通電極と液晶を介して対向し、液晶容量５ａを構成している。また、各画素１００ａには、液晶容量５ａで保持される画像信号の変動を防ぐために、液晶容量５ａと並列に保持容量３５が付加されている。本形態では、保持容量３５を構成するために、複数の画素１００ａに跨って走査線３ａと並行して延びた容量線３ｂが形成され、かかる容量線３ｂには電位Ｖcomが印加されている。なお、電位Ｖcomとしては、後述する共通電極に印加される共通電位と同一電位を用いることができる。
【００２２】
（液晶パネル１００ｐの具体的構成例）
図２は、本発明を適用した液晶装置１００に用いた液晶パネル１００ｐの説明図であり、図２（ａ）、（ｂ）は各々、液晶パネル１００ｐを各構成要素と共に第２基板２０の側から見た平面図、およびそのＨ−Ｈ′断面図である。
【００２３】
図２（ａ）、（ｂ）に示すように、液晶パネル１００ｐでは、第１基板１０（素子基板）と第２基板２０（対向基板）とが所定の隙間を介してシール材８０によって貼り合わされており、シール材８０は第２基板２０の外縁に沿うように枠状に設けられている。シール材８０の幅寸法は、数百μｍである。第１基板１０および第２基板２０は、石英基板や耐熱ガラス基板等の透光性基板からなる基板本体１０ｗ、２０ｗを有している。
【００２４】
シール材８０は、光硬化性樹脂からなる接着剤であり、両基板間の距離を所定値とするためのグラスファイバーあるいはガラスビーズ等のギャップ材が配合されている。第１基板１０と第２基板２０との間には、シール材８０で囲まれた領域内に液晶層５が保持されている。
【００２５】
本形態の液晶装置１００を製造する際には、シール材８０を間に挟んで第１基板１０と第２基板２０とを重ねた後、シール材８０に光を照射して、シール材８０を硬化させる。シール材８０には途切れ部分からなる注入口８８が形成されており、注入口８８からシール材８０で囲まれた領域内に液晶材料を真空注入した後、注入口８８を封止材８７で封止することにより、液晶層５をシール材８０の内側に保持する。なお、第１基板１０に枠状に塗布したシール材８０を半硬化させた後、シール材８０で囲まれた領域内に液晶材料を滴下し、その後、第２基板２０を重ねる場合もある。この場合、シール材８０には注入口８８を設ける必要がなく、それ故、封止材８７は不要となる。かかる方式を採用した場合でも、シール材８０を間に挟んで第１基板１０と第２基板２０とを重ねた状態で、シール材８０に光を照射して、シール材８０を完全硬化させる。
【００２６】
本形態の液晶パネル１００ｐにおいて、第１基板１０は四角形であり、４つの辺１０ｅ、１０ｆ、１０ｇ、１０ｈ（端部）を備えている。また、第２基板２０も、第１基板１０と同様、４つの辺２０ｅ、２０ｆ、２０ｇ、２０ｈ（端部）を備えている。液晶パネル１００ｐの略中央には、図１を参照して説明した表示領域１０ａが四角形の領域として設けられており、表示領域１０ａと第１基板１０の端部（辺１０ｅ、１０ｆ、１０ｇ、１０ｈ）とに挟まれた領域は、矩形枠状の非表示領域１０ｕになっている。かかる形状に対応して、非表示領域１０ｕにおいて、シール材８０も略四角枠状に設けられ、シール材８０の内縁８１と表示領域１０ａとの間には、略四角枠状の周辺領域１０ｂが設けられている。
【００２７】
第１基板１０の一方面１０ｓおよび他方面１０ｔのうち、第２基板２０と対向する一方面１０ｓ側では、表示領域１０ａに、図１を参照して説明した画素スイッチング素子３０、および画素スイッチング素子３０に電気的に接続する画素電極９ａがマトリクス状に形成されており、かかる画素電極９ａの上層側には第１配向膜１８が形成されている。また、第１基板１０の一方面１０ｓ側において、周辺領域１０ｂには、画素電極９ａと同時形成されたダミー画素電極９ｂが形成されている。ダミー画素電極９ｂについては、ダミーの画素スイッチング素子と電気的に接続された構成、ダミーの画素スイッチング素子が設けられずに配線に直接、電気的に接続された構成、あるいは電位が印加されていないフロート状態にある構成が採用される。ダミー画素電極９ｂは、第１基板１０において第１配向膜１８が形成される面を研磨により平坦化する際、表示領域１０ａと周辺領域１０ｂとの高さ位置を圧縮し、第１配向膜１８が形成される面を平坦面にするのに寄与する。また、ダミー画素電極９ｂを所定の電位に設定すれば、表示領域１０ａの外周側端部での液晶分子の配向の乱れを防止することができる。
【００２８】
ここで、第１基板１０は、第２基板２０よりサイズが大きい。このため、第１基板１０の辺１０ｅが位置する側は、第２基板２０の辺２０ｅから張り出しており、かかる張出領域（表示領域１０ａの外側／表示領域１０ａの端部と第１基板１０の辺１０ｅとの間）の一方面１０ｓ側には、第１基板１０の辺１０ｅに沿うようにデータ線駆動回路７０および複数の端子５０が形成されている。また、第１基板１０の一方面１０ｓ側において、辺１０ｅに隣接する他の辺１０ｆ、１０ｈに沿っては走査線駆動回路６０が形成されており、第１基板１０の辺１０ｇに沿っては周辺回路４０が形成されている。端子５０には、フレキシブル配線基板（図示せず）が接続されており、第１基板１０には、フレキシブル配線基板を介して各種電位や各種信号が入力される。
【００２９】
第２基板２０の一方面２０ｓおよび他方面２０ｔのうち、第１基板１０と対向する一方面２０ｓ側には共通電極２１が形成されており、共通電極２１の上層には第２配向膜２８が形成されている。共通電極２１は、第２基板２０の略全面あるいは複数の帯状電極として複数の画素１００ａに跨って形成されている。本形態において、共通電極２１は、第２基板２０の略全面に形成されている。
【００３０】
また、第２基板２０の一方面２０ｓ側には、共通電極２１の下層側に遮光層２９が形成されている。本形態において、遮光層２９は、表示領域１０ａの外周縁に沿って延在する額縁状に形成されており、見切りとして機能する。このため、遮光層２９の内縁によって、表示領域１０ａの外縁が規定されている。遮光層２９の外縁は、シール材８０の内縁８１との間に隙間を隔てた位置にあり、遮光層２９とシール材８０とは重なっていない。なお、第２基板２０において、遮光層２９は、隣り合う画素電極９ａにより挟まれた画素間領域と重なる領域にブラックマトリクス部２９ｂとしても形成されている。
【００３１】
本形態において、第２基板２０の他方面２０ｔには、画素電極９ａと重なる領域の各々に正のパワーを有するマイクロレンズ２５が形成されている。本形態において、第２基板２０は、全面にマイクロレンズ２５が形成されたマイクロレンズアレー基板として構成されている。かかるマイクロレンズアレー基板は、第２基板２０の他方面２０ｔに複数の凹部を形成した後、第２基板２０の他方面２０ｔに透光性のカバー基板２６を透光性接着剤層２７を介して接着することにより構成される。その際、透光性接着剤層２７は、第２基板２０よりも屈折率が大きい。例えば、ガラスや石英基板からなる第２基板２０の屈折率は１．４６であるため、透光性接着剤層２７としては、屈折率が１．６０程度のエポキシ系樹脂が用いられている。それ故、マイクロレンズ２５は凸レンズとして機能する。透光性接着剤層２７としては、エポキシ系樹脂以外にも、例えば、アクリル系樹脂、フェノール系樹脂、ウレタン系樹脂、ポリイミド系樹脂等の樹脂材料や、これらの樹脂材料とシリコン酸化物等とからなる有機−無機複合材料を用いることができる。なお、マイクロレンズ２５は、第２基板２０の一方面２０ｓに形成されることもある。
【００３２】
このように構成した液晶パネル１００ｐにおいて、第１基板１０の一方面１０ｓ側には、シール材８０より外側で第２基板２０の４つの角部分と重なる４個所に、第１基板１０と第２基板２０との間で電気的導通をとるための基板間導通用電極１０９が形成されている。基板間導通用電極１０９には、導電粒子を含んだ基板間導通材が配置されており、第２基板２０の共通電極２１は、基板間導通材および基板間導通用電極１０９を介して、第１基板１０側に電気的に接続されている。このため、共通電極２１は、第１基板１０の側から共通電位Ｖcomが印加されている。
【００３３】
シール材８０は、略同一の幅寸法をもって第２基板２０の外周縁に沿って設けられている。このため、シール材８０は、略四角形である。但し、シール材８０は、第２基板２０の角部分と重なる領域では基板間導通用電極１０９を避けて内側を通るように設けられており、シール材８０の角部分は略円弧状である。
【００３４】
かかる構成の液晶装置１００において、画素電極９ａおよび共通電極２１をＩＴＯ（Indium Tin Oxide）やＩＺＯ（Indium Zinc Oxide）等の透光性の導電膜により形成すると、透過型の液晶装置を構成することができる。これに対して、共通電極２１をＩＴＯやＩＺＯ等の透光性導電膜により形成し、画素電極９ａをアルミニウム等の反射性導電膜により形成すると、反射型の液晶装置を構成することができる。液晶装置１００が反射型である場合、第２基板２０の側から入射した光が第１基板１０の側の基板で反射して出射される間に変調されて画像を表示する。液晶装置１００が透過型である場合、第１基板１０および第２基板２０のうち、一方側の基板から入射した光が他方側の基板を透過して出射される間に変調されて画像を表示する。本形態では、第２基板２０から入射した光が第１基板１０を透過して出射される間に変調されて画像を表示する。
【００３５】
液晶装置１００は、モバイルコンピューター、携帯電話機等といった電子機器のカラー表示装置として用いることができ、この場合、第２基板２０には、カラーフィルター（図示せず）や保護膜が形成される。また、液晶装置１００では、使用する液晶層５の種類や、ノーマリホワイトモード／ノーマリブラックモードの別に応じて、位相差フィルムや偏光板等が液晶パネル１００ｐに対して所定の向きに配置される。さらに、液晶装置１００は、後述する投射型表示装置（液晶プロジェクター／電子機器）において、ＲＧＢ用のライトバルブとして用いることができる。この場合、ＲＧＢ用の各液晶装置１００の各々には、ＲＧＢ色分解用のダイクロイックミラーを介して分解された各色の光が投射光として各々入射されることになるので、カラーフィルターは形成されない。
【００３６】
（配線部分１１の構成）
第１基板１０の一方面１０ｓ側には、第１基板１０の辺１０ｅに沿って複数の端子５０が設けられており、かかる複数の端子５０からは、以下に説明する配線が延在している。まず、第１基板１０の辺１０ｆと表示領域１０ａとに挟まれた領域、および第１基板１０の辺１０ｈと表示領域１０ａとに挟まれた領域には、走査線駆動回路６０が形成されているとともに、第１配線１２、第２配線１３、第３配線１６、第４配線１７および共通電位線１５が形成されている。また、第１基板１０の辺１０ｇと表示領域１０ａとに挟まれた領域には、周辺回路４０が形成されているとともに、第１配線１２、第２配線１３、第３配線１６、第４配線１７および共通電位線１５が形成されている。
【００３７】
共通電位線１５は、第１基板１０の辺１０ｆ、１０ｇ、１０ｈに沿って延在し、複数の基板間導通用電極１０９の各々に導通している。このため、共通電位線１５は、複数の基板間導通用電極１０９の各々に共通電位Ｖcomを供給可能である。
【００３８】
第１配線１２および第２配線１３は、第１基板１０の辺１０ｆと走査線駆動回路６０との間、第１基板１０の辺１０ｇと周辺回路４０との間、および第１基板１０の辺１０ｈと走査線駆動回路６０との間を通って、第１基板１０の辺１０ｆ、１０ｇ、１０ｈに沿って延在している。本形態において、第１配線１２は高電位の電源電位Ｖddが印加された定電位線であり、第２配線１３は、低電位の電源電位Ｖssが印加された定電位線である。
【００３９】
このように構成した液晶装置１００において、第１配線１２、第２配線１３および共通電位線１５は、シール材８０と重なる配線部分１１を含んでいる。これに対して、走査線駆動回路６０は、シール材８０の内縁８１と表示領域１０ａとの間に設けられており、シール材８０と重なっていない。また、第３配線１６および第４配線１７は、クロック信号やクロック反転信号を供給する信号線であり、シール材８０と表示領域１０ａとに挟まれた領域で延在している。このため、第３配線１６および第４配線１７は、シール材８０と重なっていない。また、第１基板１０の辺１０ｅが位置する側において、シール材８０と重なっているのは、データ線６ａであり、データ線６ａは、シール材８０に交差する方向に延在している。
【００４０】
（配線部分１１の構成）
図３は、本発明の実施の形態１に係る液晶装置１００の端部を拡大して模式的に示す説明図であり、図３（ａ）、（ｂ）は平面図および断面図である。なお、図３（ｂ）では、第１基板１０の一方面１０ｓおよび第２基板２０の一方面２０ｓに形成されている絶縁膜、導電膜および配向膜のうち、配線部分１１のみを図示し、その他の膜の図示を省略してある。
【００４１】
図１および図２に示す第１基板１０の辺１０ｆ、１０ｇ、１０ｈ付近において、シール材８０と重なる配線部分１１は、図３（ａ）、（ｂ）に示すように構成されている。まず、第１配線１２および第２配線１３のうち、シール材８０と重なる配線部分１１は各々、第１定電位線１２１、１３１と第２定電位線１２２、１３２とに分岐して延在しており、第１定電位線１２１、１３１および第２定電位線１２２、１３２の各々にバックアップ用の容量が構成されている。
【００４２】
より具体的には、高電位の電源電位（Ｖdd）が印加された第１配線１２のうち、シール材８０と重なる配線部分１１は、第１定電位線１２１と、第１定電位線１２１と隣り合う位置で延在する第２定電位線１２２とに分岐しており、第１定電位線１２１および第２定電位線１２２のいずれにも同一の定電位（高電位の電源電位Ｖdd）が印加されている。第１定電位線１２１および第２定電位線１２２に対しては、液晶層５とは反対側で絶縁膜１９を介して重なる第３定電位線１４が設けられており、第３定電位線１４にはグランド電位が印加されている。このため、第１定電位線１２１と第３定電位線１４との間、および第２定電位線１２２と第３定電位線１４との間には、バックアップ用の容量が形成されている。
【００４３】
また、低電位の電源電位（Ｖss）が印加された第２配線１３のうち、シール材８０と重なる配線部分１１は、第１定電位線１３１と、第１定電位線１３１と隣り合う位置で延在する第２定電位線１３２とに分岐しており、第１定電位線１３１および第２定電位線１３２のいずれにも同一の定電位（低電位の電源電位Ｖss）が印加されている。第１定電位線１３１および第２定電位線１３２に対しては、液晶層５とは反対側で絶縁膜１９を介して重なる第３定電位線１４が設けられており、第３定電位線１４にはグランド電位が印加されている。このため、第１定電位線１３１と第３定電位線１４との間、および第２定電位線１３２と第３定電位線１４との間には、バックアップ用の容量が形成されている。
【００４４】
また、共通電位線１５のうち、シール材８０と重なる配線部分１１に対しては、液晶層５とは反対側で絶縁膜１９を介して重なる第３定電位線１４が設けられており、第３定電位線１４にはグランド電位が印加されている。このため、共通電位線１５と第３定電位線１４との間には、バックアップ用の容量が形成されている。
【００４５】
このように、本形態では、シール材８０と重なる領域に、第１定電位線１２１、第２定電位線１２２、第１定電位線１３１、第２定電位線１３２および共通電位線１５が形成されており、第１定電位線１２１、第２定電位線１２２、第１定電位線１３１、第２定電位線１３２および共通電位線１５は、シール材８０に沿って延在している。また、シール材８０と重なる領域には、共通電位線１５、第１定電位線１２１、第２定電位線１２２、第１定電位線１３１および第２定電位線１３２の各々に重なる複数本の第３定電位線１４が形成されており、複数本の第３定電位線１４も、シール材８０に沿って延在している。
【００４６】
ここで、第１定電位線１２１、第２定電位線１２２、第１定電位線１３１、第２定電位線１３２、共通電位線１５および第３定電位線１４は、配線幅が等しい。また、第１定電位線１２１、第２定電位線１２２、第１定電位線１３１、第２定電位線１３２および共通電位線１５は、隣り合う配線との間隔が配線幅と略等しい。例えば、第１定電位線１２１、第２定電位線１２２、第１定電位線１３１、第２定電位線１３２および共通電位線１５のライン幅対スペース幅は１対０．９〜１．１であり、複数本の第３定電位線１４のライン幅対スペース幅は１対１．１である。
【００４７】
ここで、第１配線１２（第１定電位線１２１および第２定電位線１２２）、第２配線１３（第１定電位線１３１および第２定電位線１３２）、共通電位線１５および第３定電位線１４は、金属層や導電性シリコン化合物等から形成されており、遮光性を有している。
【００４８】
（偏向部９０の構成）
本形態の液晶装置１００を製造する際には、シール材８０を間に挟んで第１基板１０と第２基板２０とを重ねた後、シール材８０に光を照射して、シール材８０を硬化させる。ここで、第２基板２０は、マイクロレンズアレー基板として構成されており、シール材８０と重なる領域にもマイクロレンズ２５が形成されている。従って、本形態では、第１基板１０の他方面１０ｔの側からシール材８０に光を照射して、シール材８０を硬化させる。
【００４９】
その際、シール材８０より第１基板１０の側には遮光性の配線部分１１が存在する。このため、本形態では、以下に説明するように、第１基板１０には、他方面１０ｔ側から光を照射した際に配線部分１１に向かおうとする光を隣り合う配線部分１１の間に向けて偏向する偏向部９０が構成されている。
【００５０】
本形態において、偏向部９０は、第１基板１０の一方面１０ｓにおいて配線部分１１と重なる位置で開口している溝状凹部９０ａを備えており、溝状凹部９０ａは、シール材８０に沿って延在している。溝状凹部９０ａは、断面三角形であり、一方面１０ｓに垂直な方向から斜めに傾いた傾斜面９１、９２を備えている。本形態において、溝状凹部９０ａの開口部の幅寸法は、配線部分１１の間の幅寸法（配線部分１１の間隔）と同等に設定されている。このため、一方面１０ｓに垂直な方向からみたとき、傾斜面９１、９２は配線部分１１と重なっている。
【００５１】
偏向部９０において、溝状凹部９０ａの内部は、第１基板１０と異なる屈折率の充填材９６によって埋められており、傾斜面９１、９２は、屈折率が異なる媒質の界面になっている。このため、傾斜面９１、９２は、配線部分１１に向かおうとする光を隣り合う配線部分１１の間に向けて反射する反射性偏向面を構成している。すなわち、液晶装置１００の製造工程において、第１基板１０の他方面１０ｔ側から照射した光によってシール材８０を硬化させる際、矢印Ｌ１１で示すように、配線部分１１の間に向けて進行しようとする光は、直進してシール材８０に到達する一方、矢印Ｌ１２で示すように、配線部分１１に向かおうとする光は、傾斜面９１、９２で反射し、シール材８０に向かう。また、シール材８０内での光の散乱等によって、シール材８０において配線部分１１の陰になっている部分にも光が届くので、シール材８０全体が硬化する。
【００５２】
かかる構成の第１基板１０は、一方面１０ｓに溝状凹部９０ａを形成した後、第１基板１０の一方面１０ｔに透光性のカバー基板９９を透光性接着剤からなる充填材９６を介して接着することにより構成することができる。その際、充填材９６としては、第１基板１０と異なる屈折率の接着剤を用いる。例えば、ガラスや石英基板からなる第１基板１０の屈折率は１．４６であるため、充填材９６としては、屈折率が１．６０程度のエポキシ系樹脂が用いられている。充填材９６としては、エポキシ系樹脂以外にも、例えば、アクリル系樹脂、フェノール系樹脂、ウレタン系樹脂、ポリイミド系樹脂等の樹脂材料や、これらの樹脂材料とシリコン酸化物等とからなる有機−無機複合材料を用いることができる。
【００５３】
（本形態の主な効果）
以上説明したように、本形態では、第１基板１０においてシール材８０と重なる領域に複数の配線部分１１（第１定電位線１２１、第２定電位線１２２、第１定電位線１３１、第２定電位線１３２および共通電位線１５）が、１対０．９〜１．１のライン幅対スペース幅の関係をもって高密度に形成されているが、第１基板１０には、第１基板１０の他方面１０ｔ側から配線部分１１に向かおうとする光を複数の配線部分１１において隣り合う配線部分１１の間に向けて偏向する偏向部９０が形成されている。このため、第１基板１０の他方面１０ｔ側から照射した光によってシール材８０を硬化させる際、配線部分１１に向かおうとする光は、偏向部９０によって配線部分１１の間に向けて進行し、シール材８０に届く。従って、シール材８０に十分な光が照射されるので、シール材８０を確実に硬化させることができる。
【００５４】
［実施の形態２］
図４は、本発明の実施の形態２に係る液晶装置１００の端部を拡大して模式的に示す説明図であり、図４（ａ）、（ｂ）は平面図および断面図である。なお、本形態の基本的な構成は実施の形態１と同様であるため、共通する部分には同一の符号を付して図示し、それらの説明を省略する。また、図４（ｂ）では、第１基板１０の一方面１０ｓおよび第２基板２０の一方面２０ｓに形成されている絶縁膜、導電膜および配向膜のうち、配線部分１１のみを図示し、その他の膜の図示を省略してある。
【００５５】
上記実施の形態１では、溝状凹部９０ａが第１基板１０の一方面１０ｓで開口していたが、以下に説明するように、本形態では、溝状凹部９０ｃが第１基板１０の他方面１０ｔで開口している。
【００５６】
図４に示す液晶装置１００において、第１基板１０には、実施の形態１と同様、他方面１０ｔ側から光を照射した際に配線部分１１に向かおうとする光を隣り合う配線部分１１の間に向けて偏向する偏向部９０が構成されている。
【００５７】
本形態において、偏向部９０は、一方面１０ｓに垂直な方向からみたとき、隣り合う配線部分１１の間と重なる領域に溝状凹部９０ｃを備えており、溝状凹部９０ｃの内部は、第１基板１０と異なる屈折率の充填材９６によって埋められている、また、溝状凹部９０ｃは、シール材８０に沿って延在している。
【００５８】
本形態において、溝状凹部９０ｃは、実施の形態１で設けた溝状凹部９０ｃと反対に、第１基板１０の他方面１０ｔで開口し、第１基板１０の他方面１０ｔに対して透光性のカバー基板９９が充填材９６を介して接着されている。
【００５９】
溝状凹部９０ｃは、断面台形であり、他方面１０ｔに垂直な方向から斜めに傾いた傾斜面９１、９２（反射性偏向面）と、傾斜面９１、９２の端部同士を結ぶ底部９３とを備えている。ここで、底部９３の幅寸法は、配線部分１１の間の幅寸法（配線部分１１の間隔）と同等に設定されている。このため、一方面１０ｓに垂直な方向からみたとき、傾斜面９１、９２は配線部分１１と重なっている。また、充填材９６は、第１基板１０と異なる屈折率を有しているため、傾斜面９１、９２は、配線部分１１に向かおうとする光を隣り合う配線部分１１の間に向けて反射する反射性偏向面を構成している。
【００６０】
このように、本形態でも、実施の形態１と同様、第１基板１０には、第１基板１０の他方面１０ｔ側から配線部分１１に向かおうとする光を複数の配線部分１１において隣り合う配線部分１１の間に向けて偏向する偏向部９０が形成されている。このため、第１基板１０の他方面１０ｔ側から照射した光によってシール材８０を硬化させる際、配線部分１１に向かおうとする光は、偏向部９０によって配線部分１１の間に向けて進行し、シール材８０に届く。従って、シール材８０に十分な光が照射されるので、シール材８０を確実に硬化させることができる等、実施の形態１と同様な効果を奏する。
【００６１】
［実施の形態３］
図５は、本発明の実施の形態３に係る液晶装置１００の端部を拡大して模式的に示す説明図であり、図５（ａ）、（ｂ）は平面図および断面図である。なお、本形態の基本的な構成は実施の形態１と同様であるため、共通する部分には同一の符号を付して図示し、それらの説明を省略する。また、図５（ｂ）では、第１基板１０の一方面１０ｓおよび第２基板２０の一方面２０ｓに形成されている絶縁膜、導電膜および配向膜のうち、配線部分１１のみを図示し、その他の膜の図示を省略してある。
【００６２】
上記実施の形態１では、傾斜面９１、９２を利用して偏向部９０を構成したが、本形態では、以下に説明するように、溝状凹部９０ｂの湾曲面を利用して偏向部９０を構成する。
【００６３】
図５に示す液晶装置１００において、第１基板１０には、実施の形態１と同様、他方面１０ｔ側から光を照射した際に配線部分１１に向かおうとする光を隣り合う配線部分１１の間に向けて偏向する偏向部９０が構成されている。
【００６４】
本形態において、偏向部９０は、実施の形態２と同様、一方面１０ｓに垂直な方向からみたとき、隣り合う配線部分１１の間と重なる領域で開口する溝状凹部９０ｂを備えており、溝状凹部９０ｂは、シール材８０に沿って延在している。
【００６５】
本形態において、溝状凹部９０ｂは、円弧状に湾曲した断面形状を有している。溝状凹部９０ｂの内部は、第１基板１０と異なる屈折率の充填材９７によって埋められており、湾曲面９５は、屈折率が異なる媒質の界面になっている。このため、偏向部９０は、シール材８０に沿って延在するシリンドリカルレンズ形状を有しており、湾曲面９５は、配線部分１１に向かおうとする光を隣り合う配線部分１１の間に向けて屈折する透光性偏向面を構成している。すなわち、液晶装置１００の製造工程において、第１基板１０の他方面１０ｔ側から照射した光によってシール材８０を硬化させる際、矢印Ｌ１１で示すように、配線部分１１の間に向けて進行しようとする光は、直進してシール材８０に到達する一方、矢印Ｌ１２で示すように、配線部分１１に向かおうとする光は、湾曲面９５で屈折し、シール材８０に向かう。また、シール材８０内での光の散乱等によって、シール材８０において配線部分１１の陰になっている部分にも光が届くので、シール材８０全体が硬化する。なお、湾曲面９５は、球面または非球面のいずれであってもよい。
【００６６】
かかる構成の第１基板１０は、一方面１０ｓに溝状凹部９０ｂを形成した後、第１基板１０の一方面１０ｓに透光性のカバー基板９９を透光性接着剤からなる充填材９７を介して接着することにより構成することができる。その際、充填材９７としては、第１基板１０より屈折率が大きな接着剤を用いる。例えば、ガラスや石英基板からなる第１基板１０の屈折率は１．４６であるため、充填材９７としては、屈折率が１．６０程度のエポキシ系樹脂が用いられている。充填材９７としては、エポキシ系樹脂以外にも、例えば、アクリル系樹脂、フェノール系樹脂、ウレタン系樹脂、ポリイミド系樹脂等の樹脂材料や、これらの樹脂材料とシリコン酸化物等とからなる有機−無機複合材料を用いることができる。
【００６７】
このように本形態でも、実施の形態１と同様、第１基板１０には、第１基板１０の他方面１０ｔ側から配線部分１１に向かおうとする光を複数の配線部分１１において隣り合う配線部分１１の間に向けて偏向する偏向部９０が形成されている。このため、第１基板１０の他方面１０ｔ側から照射した光によってシール材８０を硬化させる際、配線部分１１に向かおうとする光は、偏向部９０によって配線部分１１の間に向けて進行し、シール材８０に届く。従って、シール材８０に十分な光が照射されるので、シール材８０を確実に硬化させることができる等、実施の形態１と同様な効果を奏する。
【００６８】
［実施の形態４］
図６は、本発明の実施の形態４に係る液晶装置１００の端部を拡大して模式的に示す説明図であり、図６（ａ）、（ｂ）は平面図および断面図である。なお、本形態の基本的な構成は実施の形態１と同様であるため、共通する部分には同一の符号を付して図示し、それらの説明を省略する。また、図６（ｂ）では、第１基板１０の一方面１０ｓおよび第２基板２０の一方面２０ｓに形成されている絶縁膜、導電膜および配向膜のうち、配線部分１１のみを図示し、その他の膜の図示を省略してある。
【００６９】
図６に示す液晶装置１００において、第１基板１０には、実施の形態１と同様、他方面１０ｔ側から光を照射した際に配線部分１１に向かおうとする光を隣り合う配線部分１１の間に向けて偏向する偏向部９０が構成されている。偏向部９０は、実施の形態３と同様、一方面１０ｓに垂直な方向からみたとき、隣り合う配線部分１１の間と重なる領域に溝状凹部９０ｄを備えており、溝状凹部９０ｄは、シール材８０に沿って延在している。
【００７０】
溝状凹部９０ｄは、実施の形態３と同様、円弧状に湾曲した断面形状を有している。溝状凹部９０ｄの内部は、第１基板１０と異なる屈折率の充填材９７によって埋められており、湾曲面９５は、屈折率が異なる媒質の界面になっている。本形態において、充填材９７としては、第１基板１０より屈折率が大きな接着剤を用いる。例えば、ガラスや石英基板からなる第１基板１０の屈折率は１．４６であるため、充填材９７としては、屈折率が１．６０程度のエポキシ系樹脂が用いられている。
【００７１】
本形態において、溝状凹部９０ｄは、実施の形態３で設けた溝状凹部９０ｂと反対に、第１基板１０の他方面１０ｔで開口する溝状凹部９０ｄを備えており、第１基板１０の他方面１０ｔに対して透光性のカバー基板９９が充填材９７を介して接着されている。
【００７２】
このように本形態でも、実施の形態１と同様、第１基板１０には、第１基板１０の他方面１０ｔ側から配線部分１１に向かおうとする光を複数の配線部分１１において隣り合う配線部分１１の間に向けて偏向する偏向部９０が形成されている。このため、第１基板１０の他方面１０ｔ側から照射した光によってシール材８０を硬化させる際、配線部分１１に向かおうとする光は、偏向部９０によって配線部分１１の間に向けて進行し、シール材８０に届く。従って、シール材８０に十分な光が照射されるので、シール材８０を確実に硬化させることができる等、実施の形態１と同様な効果を奏する。
【００７３】
［他の実施の形態］
上記実施の形態では、透過型の液晶装置１００に本発明を適用した例を説明したが、反射型の液晶装置１００に本発明を適用してもよい。
【００７４】
［電子機器への搭載例］
（投射型表示装置および光学ユニットの構成例）
図７は、本発明を適用した投射型表示装置（電子機器）および光学ユニットの概略構成図である。図７に示す投射型表示装置１１１０は、観察者側に設けられたスクリーン１１１１に光を照射し、このスクリーン１１１１で反射した光を観察する、いわゆる投影型の投射型表示装置である。投射型表示装置１１１０は、光源１１１２を備えた光源部１１３０と、ダイクロイックミラー１１１３、１１１４と、液晶ライトバルブ１１１５〜１１１７と、投射光学系１１１８と、クロスダイクロイックプリズム１１１９（合成光学系）と、リレー系１１２０とを備えている。また、投射型表示装置１１１０においては、液晶装置１００およびクロスダイクロイックプリズム１１１９（光合成光学系）を備えた光学ユニット１２００が用いられている。
【００７５】
光源１１１２は、赤色光Ｒ、緑色光Ｇ、および青色光Ｂを含む光を供給する超高圧水銀ランプで構成されている。ダイクロイックミラー１１１３は、光源１１１２からの赤色光Ｒを透過させるとともに、緑色光Ｇ、および青色光Ｂを反射する構成となっている。また、ダイクロイックミラー１１１４は、ダイクロイックミラー１１１３で反射された緑色光Ｇおよび青色光Ｂのうち青色光Ｂを透過させるとともに緑色光Ｇを反射する構成となっている。このように、ダイクロイックミラー１１１３、１１１４は、光源１１１２から出射した光を赤色光Ｒと緑色光Ｇと青色光Ｂとに分離する色分離光学系を構成する。
【００７６】
ここで、ダイクロイックミラー１１１３と光源１１１２との間には、インテグレーター１１２１および偏光変換素子１１２２が光源１１１２から順に配置されている。インテグレーター１１２１は、光源１１１２から照射された光の照度分布を均一化する構成となっている。また、偏光変換素子１１２２は、光源１１１２からの光を、例えばｓ偏光のような特定の振動方向を有する偏光にする構成となっている。
【００７７】
液晶ライトバルブ１１１５は、ダイクロイックミラー１１１３を透過して反射ミラー１１２３で反射した赤色光を画像信号に応じて変調する透過型の液晶装置である。液晶ライトバルブ１１１５は、λ／２位相差板１１１５ａ、第１偏光板１１１５ｂ、液晶装置１００（赤色用液晶パネル１００Ｒ）、および第２偏光板１１１５ｄを備えている。ここで、液晶ライトバルブ１１１５に入射する赤色光Ｒは、ダイクロイックミラー１１１３を透過しても光の偏光は変化しないことから、ｓ偏光のままである。
【００７８】
λ／２位相差板１１１５ａは、液晶ライトバルブ１１１５に入射したｓ偏光をｐ偏光に変換する光学素子である。また、第１偏光板１１１５ｂは、ｓ偏光を遮断してｐ偏光を透過させる偏光板である。そして、液晶装置１００（赤色用液晶パネル１００Ｒ）は、ｐ偏光を画像信号に応じた変調によってｓ偏光（中間調であれば円偏光又は楕円偏光）に変換する構成となっている。さらに、第２偏光板１１１５ｄは、ｐ偏光を遮断してｓ偏光を透過させる偏光板である。したがって、液晶ライトバルブ１１１５は、画像信号に応じて赤色光Ｒを変調し、変調した赤色光Ｒをクロスダイクロイックプリズム１１１９に向けて出射する構成となっている。
【００７９】
なお、λ／２位相差板１１１５ａ、および第１偏光板１１１５ｂは、偏光を変換させない透光性のガラス板１１１５ｅに接した状態で配置されており、λ／２位相差板１１１５ａ、および第１偏光板１１１５ｂが発熱によって歪むのを回避することができる。
【００８０】
液晶ライトバルブ１１１６は、ダイクロイックミラー１１１３で反射した後にダイクロイックミラー１１１４で反射した緑色光Ｇを画像信号に応じて変調する透過型の液晶装置である。かかる液晶ライトバルブ１１１６は、液晶ライトバルブ１１１５と同様に、第１偏光板１１１６ｂ、液晶装置１００（緑色用液晶パネル１００Ｇ）、および第２偏光板１１１６ｄを備えている。液晶ライトバルブ１１１６に入射する緑色光Ｇは、ダイクロイックミラー１１１３、１１１４で反射されて入射するｓ偏光である。第１偏光板１１１６ｂは、ｐ偏光を遮断してｓ偏光を透過させる偏光板である。また、液晶装置１００（緑色用液晶パネル１００Ｇ）は、ｓ偏光を画像信号に応じた変調によってｐ偏光（中間調であれば円偏光又は楕円偏光）に変換する構成となっている。そして、第２偏光板１１１６ｄは、ｓ偏光を遮断してｐ偏光を透過させる偏光板である。したがって、液晶ライトバルブ１１１６は、画像信号に応じて緑色光Ｇを変調し、変調した緑色光Ｇをクロスダイクロイックプリズム１１１９に向けて出射する構成となっている。
【００８１】
液晶ライトバルブ１１１７は、ダイクロイックミラー１１１３で反射し、ダイクロイックミラー１１１４を透過した後でリレー系１１２０を経た青色光Ｂを画像信号に応じて変調する透過型の液晶装置である。かかる液晶ライトバルブ１１１７は、液晶ライトバルブ１１１５、１１１６と同様に、λ／２位相差板１１１７ａ、第１偏光板１１１７ｂ、液晶装置１００（青色用液晶パネル１００Ｂ）、および第２偏光板１１１７ｄを備えている。ここで、液晶ライトバルブ１１１７に入射する青色光Ｂは、ダイクロイックミラー１１１３で反射してダイクロイックミラー１１１４を透過した後にリレー系１１２０の後述する２つの反射ミラー１１２５ａ、１１２５ｂで反射することから、ｓ偏光となっている。
【００８２】
λ／２位相差板１１１７ａは、液晶ライトバルブ１１１７に入射したｓ偏光をｐ偏光に変換する光学素子である。また、第１偏光板１１１７ｂは、ｓ偏光を遮断してｐ偏光を透過させる偏光板である。そして、液晶装置１００（青色用液晶パネル１００Ｂ）は、ｐ偏光を画像信号に応じた変調によってｓ偏光（中間調であれば円偏光又は楕円偏光）に変換する構成となっている。さらに、第２偏光板１１１７ｄは、ｐ偏光を遮断してｓ偏光を透過させる偏光板である。したがって、液晶ライトバルブ１１１７は、画像信号に応じて青色光Ｂを変調し、変調した青色光Ｂをクロスダイクロイックプリズム１１１９に向けて出射する構成となっている。なお、λ／２位相差板１１１７ａ、および第１偏光板１１１７ｂは、ガラス板１１１７ｅに接した状態で配置されている。
【００８３】
リレー系１１２０は、リレーレンズ１１２４ａ、１１２４ｂと反射ミラー１１２５ａ、１１２５ｂとを備えている。リレーレンズ１１２４ａ、１１２４ｂは、青色光Ｂの光路が長いことによる光損失を防止するために設けられている。ここで、リレーレンズ１１２４ａは、ダイクロイックミラー１１１４と反射ミラー１１２５ａとの間に配置されている。また、リレーレンズ１１２４ｂは、反射ミラー１１２５ａ、１１２５ｂの間に配置されている。反射ミラー１１２５ａは、ダイクロイックミラー１１１４を透過してリレーレンズ１１２４ａから出射した青色光Ｂをリレーレンズ１１２４ｂに向けて反射するように配置されている。また、反射ミラー１１２５ｂは、リレーレンズ１１２４ｂから出射した青色光Ｂを液晶ライトバルブ１１１７に向けて反射するように配置されている。
【００８４】
クロスダイクロイックプリズム１１１９は、２つのダイクロイック膜１１１９ａ、１１１９ｂをＸ字型に直交配置した色合成光学系である。ダイクロイック膜１１１９ａは青色光Ｂを反射して緑色光Ｇを透過する膜であり、ダイクロイック膜１１１９ｂは赤色光Ｒを反射して緑色光Ｇを透過する膜である。従って、クロスダイクロイックプリズム１１１９は、液晶ライトバルブ１１１５〜１１１７の各々で変調された赤色光Ｒと緑色光Ｇと青色光Ｂとを合成し、投射光学系１１１８に向けて出射するように構成されている。
【００８５】
なお、液晶ライトバルブ１１１５、１１１７からクロスダイクロイックプリズム１１１９に入射する光はｓ偏光であり、液晶ライトバルブ１１１６からクロスダイクロイックプリズム１１１９に入射する光はｐ偏光である。このようにクロスダイクロイックプリズム１１１９に入射する光を異なる種類の偏光としていることで、クロスダイクロイックプリズム１１１９において各液晶ライトバルブ１１１５〜１１１７から入射する光を合成できる。ここで、一般に、ダイクロイック膜１１１９ａ、１１１９ｂはｓ偏光の反射トランジスター特性に優れている。このため、ダイクロイック膜１１１９ａ、１１１９ｂで反射される赤色光Ｒ、および青色光Ｂをｓ偏光とし、ダイクロイック膜１１１９ａ、１１１９ｂを透過する緑色光Ｇをｐ偏光としている。投射光学系１１１８は、投影レンズ（図示略）を有しており、クロスダイクロイックプリズム１１１９で合成された光をスクリーン１１１１に投射するように構成されている。
【００８６】
（他の投射型表示装置）
なお、投射型表示装置については、光源部として、各色の光を出射するＬＥＤ光源等を用い、かかるＬＥＤ光源から出射された色光を各々、別の液晶装置に供給するように構成してもよい。
【００８７】
（他の電子機器）
本発明を適用した液晶装置１００については、上記の電子機器の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【００８８】
（他の液晶装置）
また、上記実施の形態では、液晶装置として液晶装置を例に挙げて説明したが、本発明はこれに限定されず、有機エレクトロルミネッセンス表示装置、プラズマディスプレイ、ＦＥＤ（Ｆｉｅｌｄ  Ｅｍｉｓｓｉｏｎ  Ｄｉｓｐｌａｙ）、ＳＥＤ（Ｓｕｒｆａｃｅ−Ｃｏｎｄｕｃｔｉｏｎ Ｅｌｅｃｔｒｏｎ−Ｅｍｉｔｔｅｒ Ｄｉｓｐｌａｙ）、ＬＥＤ（発光ダイオード）表示装置、電気泳動表示装置等の液晶装置に本発明を適用してもよい。
【符号の説明】
【００８９】
５・・液晶層、９ａ・・画素電極、１０・・第１基板、１０ａ・・表示領域、１１・・配線部分、１２・・第１配線、１３・・第２配線、１４・・第３定電位線、１５・・共通電位線、２０・・第２基板、２１・・共通電極、３０・・画素スイッチング素子、８０・・シール材、１００・・液晶装置、１００ａ・・画素、１２１、１３１・・第１定電位線、１２２、１３２・・第２定電位線、９０・・偏向部、９０ａ、９０ｂ、９０ｃ、９０ｄ・・溝状凹部、９１、９２・・傾斜面、９５・・湾曲面、９６、９７・・充填材
【図１】
2015075682.tif 000003
【図２】
2015075682.tif 000004
【図３】
2015075682.tif 000005
【図４】
2015075682.tif 000006
【図５】
2015075682.tif 000007
【図６】
2015075682.tif 000008
【図７】
2015075682.tif 000009